(57)【特許請求の範囲】
【請求項１】
無線通信が可能な携帯端末を用いて車輌を遠隔始動させる遠隔始動信号を前記車輌に送信する車輌用遠隔始動システムであって、
前記携帯端末に組み込まれ、前記携帯端末の手動操作により前記無線通信を介して前記遠隔始動信号を送信する制御部と、
前記遠隔始動信号を受信するとともに、前記無線通信よりも通信の到達距離の長い第２の無線通信を介して前記遠隔始動信号を前記車輌に送信する操作端末と、
前記車輌に搭載され、前記遠隔始動信号を受信することで車輌制御装置にエンジン始動に係るＥＣＵ信号を出力すると共に、前記車輌制御装置が出力するイグニッション信号を検知し、前記イグニッション信号を検知したことを示す始動検知信号を前記操作端末に送信する車載装置と、を有し、
前記操作端末は、受信した前記始動検知信号を前記携帯端末に送信し、
前記携帯端末には、前記始動検知信号を受信した日時の履歴を表す履歴情報を記録し、  前記履歴情報の前記受信日時の周期性、及び／若しくは、前記履歴情報において周期的に表れる前記受信日時の頻度に基づいて次の前記遠隔始動信号の予定送信日時を演算する演算部が組み込まれ、
前記制御部は、
前記予定送信日時になったときに前記遠隔始動信号を送信可能であることを特徴とする車輌用遠隔始動システム。
【請求項２】
前記制御部は、前記予定送信日時になったときに、遠隔始動を行うか否かの判断を促す催促情報を前記携帯端末の表示部に出力し、前記催促情報に対応して前記携帯端末の外部入力部から入力された返答信号により前記遠隔始動信号を送信するか否かの判断を行うことを特徴とする請求項１に記載の車輌用遠隔始動システム。
【請求項３】
前記催促情報に対する返答信号が前記遠隔始動信号を送信しない旨の信号であり、
前記返答信号が入力された後、前記表示部を介して前記遠隔始動信号の出力が成された場合、
前記制御部は、前記予定送信日時と前記表示部を介して前記遠隔始動信号の出力が成された日時との差分を算出し、次の予定送信日時に対して補正値として加算することを特徴とする請求項２に記載の車輌用遠隔始動システム。
【発明の詳細な説明】
【技術分野】
【０００１】
本発明は、遠隔操作により車輌のエンジンを始動するための車輌用遠隔始動システムに関する。
【背景技術】
【０００２】
従来から、いわゆる手で操作するリモコンからの指示で遠隔制御する車輌の遠隔始動装置が存在する。また、リモコンに文字や絵を表示できるようにして、タイマー制御機能を有し、設定した曜日や時間にリモコンから遠隔始動信号を自動送信できるようにしたものも存在する。
【０００３】
また最近では、近年普及したスマートフォン（登録商標）等の携帯端末からの指令によりリモコンが遠隔始動信号を送信できるものも存在する。特許文献１では、リモコンに近距離無線装置と長距離無線装置を搭載し、長距離無線通信は従来通り車輌への遠隔始動信号の通信用に用い、短距離無線装置は、携帯端末と通信できるようにし、リモコンでの操作は行わず、携帯端末からの遠隔始動信号をリモコンに送信し、これを受けてリモコンが遠隔始動信号を車輌に送信できるようにしている。
【先行技術文献】
【特許文献】
【０００４】
【特許文献１】特開２０１３−２３２８４２号公報
【発明の概要】
【発明が解決しようとする課題】
【０００５】
特許文献１のような構成であれば、携帯端末にインストールされたアプリケーションにより、自由な操作や画面構成を構築できるだけでなく、当該アプリケーションにより遠隔始動信号の送信予定日時を管理することができる。よって、決まった時間に使うことが明らかなユーザーにとっては、リモコンのみで遠隔操作をする場合よりも、各段に扱いやすくなっているが、そのために予め曜日や時間設定を行うという根本的な操作を最初に行う必要があった。
そこで、本発明は、予定送信日時の設定のための動作を予め行うことなく、予定送信日時において車輌の遠隔始動が可能な車輌用遠隔始動システムを提供することを目的とする。
【課題を解決するための手段】
【０００６】
上記目的を達成するため、本発明に係る車輌用遠隔始動システムは、無線通信が可能な携帯端末を用いて車輌を遠隔始動させる遠隔始動信号を前記車輌に送信する車輌用遠隔始動システムであって、前記携帯端末に組み込まれ、前記携帯端末の手動操作により前記無線通信を介して前記遠隔始動信号を送信する制御部と、前記遠隔始動信号を受信するとともに、前記無線通信よりも通信の到達距離の長い第２の無線通信を介して前記遠隔始動信号を前記車輌に送信する操作端末と、前記車輌に搭載され、前記遠隔始動信号を受信することで車輌制御装置にエンジン始動に係るＥＣＵ信号を出力すると共に、前記車輌制御装置が出力するイグニッション信号を検知し、前記イグニッション信号を検知したことを示す始動検知信号を前記操作端末に送信する車載装置と、を有し、前記操作端末は、受信した前記始動検知信号を前記携帯端末に送信し、前記携帯端末には、前記始動検知信号を受信した日時の履歴を表す履歴情報を記録し、前記履歴情報の前記受信日時の周期性、及び／若しくは、前記履歴情報において周期的に表れる前記受信日時の頻度に基づいて次の前記遠隔始動信号の予定送信日時を演算する演算部が組み込まれ、前記制御部は、前記予定送信日時になったときに前記遠隔始動信号を送信可能であることを特徴とする車輌用遠隔始動システム。
上記構成により、予定送信日時の設定のための動作を予め行うことなく、自動的に遠隔始動信号を送信可能な車輌用遠隔始動システムとなる。また、ドライバーが操作端末や専用キーを用いて車輌のエンジン始動を行った場合にも履歴情報を更新することができる。
【０００７】
また、前記制御部は、前記予定送信日時になったときに、遠隔始動を行うか否かの判断を促す催促情報を前記携帯端末の表示部に出力し、前記催促情報に対応して前記携帯端末の外部入力部から入力された返答信号により前記遠隔始動信号を送信するか否かの判断を行うことを特徴とする。
上記構成により、ドライバーが実際に遠隔始動を行うか否かの選択をすることができるので、不要な遠隔始動を回避し、利便性を向上させることができる。
また、前記催促情報に対する返答信号が前記遠隔始動信号を送信しない旨の信号であり、前記返答信号が入力された後、前記表示部を介して前記遠隔始動信号の出力が成された場合、前記制御部は、前記予定送信日時と前記表示部を介して前記遠隔始動信号の出力が成された日時との差分を算出し、次の予定送信日時に対して補正値として加算することを特徴とする。
上記構成により、遠隔始動信号の予定送信日時の算出精度を高めることができる。
【発明の効果】
【０００８】
本発明に係る車輌用遠隔始動システムによれば、予定送信日時の設定のための動作を予め行うことなく、自動的に遠隔始動信号を送信可能となる。また、ドライバーが実際に遠隔始動を行うか否かの選択をすることができるので、不要な遠隔始動を回避し、利便性を向上させることができる。
【図面の簡単な説明】
【０００９】
【図１】本実施形態の車輌用遠隔始動システムのブロック図である。
【発明を実施するための形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１１】
図１に、本実施形態の車輌用遠隔始動システムのブロック図を示す。図１に示すように、車輌用遠隔始動システム１０は、携帯端末１２と、リモコン２４（操作装置）を用い、車輌３６に取り付けられた車載装置３８との間で様々な情報の送受信を行うものである。
【００１２】
携帯端末１２は、車輌３６を保有するドライバーが所持するものであり、高機能携帯（スマートフォン（登録商標））等である。また携帯端末１２はタッチパネル等の表示装置１４（表示部及び外部入力部）を有するとともに、アプリケーションを動作させるＣＰＵ装置１６、無線通信（近距離無線（例えばＢｌｕｅｔｏｏｔｈ（登録商標）：２．４ＧＨｚ帯））による送受信を行う近距離無線装置２２を有する。また携帯端末１２には、制御部１８、演算部２０がアプリケーションとしてインストールされている。
【００１３】
制御部１８は、ＣＰＵ装置１６を介して様々な制御を行うとともに、表示装置１４、演算部２０、近距離無線装置２２に接続されている。制御部１８は、ドライバーの手動操作により表示装置１４（外部入力部）から指令信号を受けた場合、また後述のように、予定送信日時になったときにおいて表示装置１４（外部入力部）から返答信号（Ｙｅｓ）を受けた場合に、遠隔始動信号を、近距離無線装置２２を介して送信するものである。
【００１４】
演算部２０は、ＣＰＵ装置１６を介して動作するものであり、制御部１８が遠隔始動信号を送信した日時（曜日）を携帯端末１２に付属する記憶領域（不図示）に履歴情報として記憶するとともに、履歴情報から遠隔始動信号を送信した日時（曜日）の周期性等に基づいて次の遠隔始動信号の予定送信日時の情報を演算して制御部１８に出力するものである。
【００１５】
リモコン２４は、携帯端末１２と車載装置３８との間の信号（情報）の送受信の中継を行うものである。リモコン２４は、携帯端末１２から送信された遠隔始動信号を受信することにより、無線通信よりも通信の到達距離（通信距離）の長い第２の無線通信（例えば、９２０ＭＨｚ帯や４２９ＭＨｚ帯、到達距離は１００〜１０００ｍ程度）を介して遠隔始動信号を車輌３６に送信することができる。このリモコン２４は、ドライバーが保持するか、携帯端末１２からの近距離無線通信が到達する範囲（１ｍ〜１０ｍ程度）に配置する。
【００１６】
リモコン２４は、無線通信により携帯端末１２との間で情報の送受信を行う近距離無線装置２６、第２の無線通信により車載装置３８との間で情報の送受信を行う長距離無線装置２８を有する。またリモコン２４は、表示装置３０、ＣＰＵ装置３２、スイッチ３４を有する。近距離無線通信装置２６は、携帯端末１２（近距離無線装置２２）から送信された遠隔始動信号を受信してこれを長距離無線装置２８に出力し、長距離無線装置２８から出力された車載装置３８から送信された情報（後述の始動検知信号、動作検知信号、温度情報）を携帯端末１２（近距離無線装置２２）に送信するものである。また、長距離無線装置２８は、近距離無線装置２６から入力された遠隔始動信号を車載装置３８に送信し、車載装置３８から送信された情報を近距離無線装置２６に出力するものである。
【００１７】
ＣＰＵ装置３２は、リモコン２４全体の動作を制御するものであるが、ドライバーによるスイッチ３４の手動操作により入力された信号によって、長距離無線装置２８を介して遠隔始動信号（制御部１８が出力する遠隔始動信号と同一のもの）を車載装置３８に出力することができる。表示装置３０は、ＣＰＵ装置３２による制御を介して、後述の温度情報など様々な情報を表示するものである。
【００１８】
一方、遠隔始動を行う車輌３６に取り付けられている車載装置３８は、車輌３６全体の動作を制御する車輌制御装置４０（ＥＣＵ：Ｅｎｇｉｎｅ  Ｃｏｎｔｒｏｌ  Ｕｎｉｔ）に接続され、リモコン２４から送信された遠隔始動信号を受信すると車輌制御装置４０にエンジン始動に係るＥＣＵ信号を出力する。
【００１９】
上記構成による車輌用遠隔始動システム１０の動作について説明する。まず、演算部２０が次の予定送信日時を演算する。予定送信日時の演算は、例えば、以下のように行う。演算部２０は、携帯端末１２の記憶領域に記憶された遠隔始動信号の送信の履歴情報を読み出し、履歴情報から遠隔始動信号の周期性を読み取る。すなわち、同じ曜日の同じ時間帯（例えば、時間幅を１時間とし、朝の７時代、朝の８時代というように区分けする）における遠隔始動信号を送信した時刻を抽出して、その平均値を算出し、その平均値を予定送信日時にすることができる。また、同じ曜日の同じ時間帯の分布密度を算出し、その分布密度がピークとなるところを予定送信日時とすることもできる。なお、予定送信日時の他の演算方法として、ファジー理論等を用いてもよい。また、遠隔始動信号の周期性については、曜日、時間のみならず月（季節）ごとの周期性を考慮してもよい。
【００２０】
また、履歴情報において、例えば同じ曜日の各時間帯について最近の数週間分もしくは数か月分の遠隔始動信号の送信回数（エンジンの始動回数）を積算し、最も頻度（回数）が多い時間帯（午前の時間帯、午後の時間帯）を選択してもよい。この場合、予定送信日時はドライバーが設定した任意の時間（例えば、選択された時間帯が朝の７時代であれば朝の７時２０分）でもよいし、上述の方法で算出してもよい。
【００２１】
一方、制御部１８は、予定送信日時の情報が演算部２０から入力され、実際の予定送信日時になったときに遠隔始動を行うか否かの判断を促す催促情報を携帯端末１２の表示装置１４に出力する。
【００２２】
ドライバーは、表示装置１４（表示部）に表示された催促情報（例えば、「エンジン始動しますか？  Ｙｅｓ  Ｎｏ」と表示する）を確認し、エンジン始動する場合には「Ｙｅｓ」と表示された部分をタッチ（タップ）し、始動しない場合は「Ｎｏ」と表示された部分をタッチする。このタッチ操作により表示装置１４（外部入力部）から返答信号（Ｙｅｓ）、または返答信号（Ｎｏ）が出力され、いずれかの返答信号が制御部１８に入力される。
【００２３】
制御部１８は、返答信号（Ｙｅｓ）が入力された場合は、遠隔始動信号を出力し、返答信号（Ｎｏ）が入力された場合には遠隔始動信号を出力しない制御を行う。携帯端末１２から遠隔始動信号が送信されるとリモコン２４がこれを受信して車載装置３８に送信する。そして、遠隔始動信号を受信した車載装置３８がエンジン始動に係るＥＣＵ信号を車輌制御装置４０に出力することにより、車輌制御装置４０がエンジンを始動させ、これにより車輌３６の遠隔始動の動作が完了する。
【００２４】
本実施形態の車輌用遠隔始動システム１０は、上述のように、予定送信日時に遠隔始動信号の送信の催促を行い、返答信号（Ｙｅｓ）を受けて遠隔始動信号を送信するが、ドライバーの表示装置１４（外部入力部）の手動操作、及びリモコン２４のスイッチ３４の手動操作によっても遠隔始動信号を送信することができる。
【００２５】
ところで、本実施形態の車輌用遠隔始動システム１０が未使用である場合は、履歴情報は存在しない。また、使用し始める最初の週においては、ドライバーによる表示装置１４（外部入力部）の操作により表示装置１４（外部入力部）から指令信号を受けた制御部１８が遠隔始動信号を出力することにより履歴情報を得る。しかし、この履歴情報では同じ曜日で同じ時間帯に遠隔始動信号を送信した回数がまだ１回であるので、前述の時間帯の選択、平均値または分布密度の算出できない。よって、第２週においては、履歴情報をそのまま予定送信日時として用いることになるが、第３週以降は前述の時間帯の選択、平均値または分布密度の算出が可能となる。
【００２６】
また、例えば、前述の平均値等により算出した予定送信日時に催促情報を出力して、ドライバーが返答信号（Ｎｏ）を出力し、その後ドライバーが表示装置１４（外部入力部）を用いて制御部１８に遠隔始動信号を出力させた場合、制御部１８（または演算部２０）は、算出された予定送信日時と実際に遠隔始動信号を出力した時間の差分を算出し、次の予定送信日時に補正値として加算して予定送信日時の算出精度を高めるようにしてもよい。
【００２７】
上記構成では、履歴情報は、制御部１８から送信される遠隔始動信号に基づいて生成していた。しかし、車輌３６に搭載された車輛制御装置４０が出力するイグニッション信号（エンジンを始動させるための信号）を車載装置３８が検知し、車載装置３８がこのイグニッション信号を検知したことを示す始動検知信号を、リモコン２４を介して携帯端末１２に送信し、制御部１８（または演算部２０）が始動検知信号を受信した時刻により履歴情報を生成してもよい。これにより、ドライバーがリモコン２４や専用キーを用いて車輌３６のエンジン始動を行った場合にも履歴情報を更新することができる。
【００２８】
また、予定送信日時にエンジンがすでに動作している場合は、例えば車輌制御装置４０が出力している点火機構、燃料系統、吸排気系統、動弁機構等を制御するための制御信号を車載装置３８が検知することができる。この場合、車載装置３８は、その制御信号を検知したことを示す動作検知信号を、リモコン２４を介して携帯端末１２に送信する。そして制御部１８は、動作検知信号を受信している間は、催促情報及び遠隔始動信号を出力しないように制御すればよい。また、制御部１８（または演算部２０）は、この場合においても、前述の始動検知信号を受信した時刻と予定送信日時の差分を算出し、次の予定送信日時の補正値として加算（減算）して予定送信日時の算出精度を高めるようにしてもよい。
【００２９】
なお、制御部１８は、予定送信日時になると催促情報を出力する旨説明したが、催促情報を出さずに直ちに遠隔始動信号を出力するようにしてもよい。また、携帯端末１２が遠隔始動信号を送信する構成としたが、携帯端末１２が遠隔始動信号の代わりに指令信号をリモコン２４に送信し、リモコン２４が当該指令信号を受信することによりＣＰＵ装置３２が遠隔始動信号を送信する構成としてもよい。また、外部入力部は表示装置３０（タッチパネル）の一部としていたが、マイク等の音声を取り込む手段と、取り込んだ音声を制御部１８等が識別できるテキストデータ等に変換するデータ変換手段により構築してもよい。
【産業上の利用可能性】
【００３０】
予定送信日時の設定のための動作を予め行うことなく、予定送信日時において車輌の遠隔始動が可能な車輌用遠隔始動システムとして利用できる。
【符号の説明】
【００３１】
１０………車輌用遠隔始動システム、１２………携帯端末、１４………表示装置、１６………ＣＰＵ装置、１８………制御部、２０………演算部、２２………近距離無線装置、２４………リモコン、２６………近距離無線装置、２８………長距離無線装置、３０………表示装置、３２………ＣＰＵ装置、３４………スイッチ、３６………車輌、３８………車載装置、４０………車輌制御装置。
【図１】
0006441694.tif 000002